(57)【要約】【課題】本発明は浴室の排水装置のストレーナー内での異物の滞留による排水流路の閉塞を緩和するとともに、ストレーナー内に滞留した異物の除去、清掃を簡便にすることを目的とする。【解決手段】排水口６に着脱自在にストレーナー７を設置し、ストレーナー７は外縁部８と外縁部８の内側より下方に略円錐形状に突出した通水部９を一体に形成し、通水部９の少なくとも一部は網状をなし略円錐形状の頂点の位置を排水口６の中心から偏心させることにより、異物は円錐の頂点近傍に集約滞留し、排水流路の閉塞は緩和されるとともに、取っ手に異物が付着することがなく、清潔で使いやすい排水装置を提供する。【選択図】図１
2006002423.tif 000002
【特許請求の範囲】
【請求項１】
排水口に着脱自在にストレーナーを設置し、ストレーナーは外縁部と外縁部の内側より下方に略円錐形状に突出した通水部を一体に形成し、通水部の少なくとも一部は網状をなし略円錐形状の頂点の位置を排水口の中心から偏心させた浴室の排水装置。
【請求項２】
ストレーナーは、中心に対して、通水部の頂点と対向する位置に取っ手を設けた請求項１に記載の浴室の排水装置。
【請求項３】
ストレーナーの取っ手は、軸部の断面形状が中心に向かって拡がるＶ字形状または楔形状である請求項２に記載の浴室の排水装置。
【請求項４】
取っ手の取付位置の近傍は、通水部を網状に形成しない平滑面とした請求項２または３に記載の浴室の排水装置。
【請求項５】
ストレーナーの表面にフッ素樹脂を被覆した請求項１〜４のいずれか１項に記載の浴室の排水装置。
【発明の詳細な説明】
【技術分野】
【０００１】
本発明は異物による排水の閉塞を緩和し、清掃性を高めた浴室の排水装置に関するのである。
【背景技術】
【０００２】
従来、この種の浴室の排水装置では、ストレーナーの中央部に上方に突出した取っ手が配設されている（例えば、特許文献１参照）。
【０００３】
図３及び図４は従来の浴室の排水装置を示すものである。図３及び図４に示すように、ストレーナー１は下方に凹状を成し、排水装置の排水口中心に対して対称形を成すとともに前記凹状部２の底部３は水平面で形成され、前記ストレーナー１の凹状部２の中心から上方に突出した取っ手４を有する構成である。
【特許文献１】特開平８−２７００３８号公報
【発明の開示】
【発明が解決しようとする課題】
【０００４】
しかしながら、前記従来の構成では、凹状部の底面が平面であるため、異物が滞留すると底面いっぱいに広がり、排水流路が閉塞されやすくなるとともに、ストレーナーに滞留した毛髪等の異物を除去、清掃する場合に、異物を直接手に取って除去するか、又は中央部から突出した取っ手を持って、ストレーナーを逆さまにしなければならない。後者の場合でも、異物が手の上に落下し、前者、後者いずれの場合でも異物が手に触れ、不快感を与えるという課題があった。
【０００５】
本発明は、前記従来の課題を解決するもので、本発明はストレーナーに異物が滞留していく場合でも排水流路が閉塞されにくくするとともに、直接手に触れずにストレ―ナーに滞留した異物を除去できるようにし、清掃を簡便化することを目的とする。
【課題を解決するための手段】
【０００６】
前記従来の課題を解決するために、本発明の浴室の排水装置は、排水口に着脱自在にストレーナーを設置し、ストレーナーは外縁部と外縁部の内側より下方に略円錐形状に突出した通水部を一体に形成し、通水部の少なくとも一部は網状をなし略円錐形状の頂点の位置を排水口の中心から偏心させたものである。
【０００７】
これによって、異物はストレーナーの偏心した略円錐面の頂点近傍に集約して滞留し、略円錐面の上部の網状流路は閉塞されにくくなる。
【発明の効果】
【０００８】
本発明の浴室の排水装置は、ストレーナーに異物が滞留しても流路が閉塞されにくく、排水流路の確保を確実に行い、しかも清掃性を向上することができる。
【発明を実施するための最良の形態】
【０００９】
第１の発明は、排水口に着脱自在にストレーナーを設置し、ストレーナーは外縁部と外縁部の内側より下方に略円錐形状に突出した通水部を一体に形成し、通水部の少なくとも一部は網状をなし略円錐形状の頂点の位置を排水口の中心から偏心させることにより、異物がストレーナーに滞留していく場合に、異物は略円錐の頂点近傍に滞留していき、円錐面の上部の網状部には異物が滞留せず排水流路の閉塞を妨げることができる。
【００１０】
第２の発明は、特に、第１の発明のストレーナーに、中心に対して、通水部の頂点とは対向する位置に取っ手を設けることにより、取っ手は異物が滞留する通水部の頂点から離れた位置になるため、ストレーナーの清掃を行う場合に、直接異物に手を触れることなくストレーナーを取り外すことができる。
【００１１】
第３の発明は、特に、第２の発明のストレーナーの取っ手を、軸部の断面形状が中心に向かって拡がるＶ字形状または楔形状にすることにより、取っ手の背後から排水とともに流入してくる異物を取っ手の軸部に巻き付くことなく円滑に通水部の中に導くことができるため、更に異物に手を触れることが少なく、衛生的にストレーナーの取り外しができる。
【００１２】
第４の発明は、特に、第２または第３の発明の取っ手の取付位置の近傍は、通水部を網状に形成しない平滑面とすることにより、周囲から排水ととものに流入する異物をストレーナーの通水部の平滑面に引っ掛かることなく、通水部下部の略円錐面の頂点近傍に集約させることができるため、取っ手の近傍に異物の滞留は少なく、より一層異物に手を触れることが少なくなり、衛生的にストレーナーの取り外しができる。
【００１３】
第５の発明は、特に、第１〜４のいずれか１つの発明のストレーナーの表面にフッ素樹脂を被覆させることにより、ストレーナーの表面にヌメリが付き難くなり、異物や汚れがストレーナーに付着しにくくなり、ストレーナーの清掃が容易になる。
【００１４】
以下、本発明の実施の形態について図面を参照しながら説明する。なお、この実施の形態によって本発明が限定されるものではない。
【００１５】
（実施の形態１）
図1は本発明の第1の実施の形態における排水装置の断面図である。
【００１６】
図２は本発明の第１の実施の形態における排水装置の平面図である。
【００１７】
図１、図２において、排水装置５の排水口６にストレーナー７が着脱自在に設置したあり、ストレーナー７は外縁部８と外縁部８の内側には下方に突出した円錐形の通水部９が一体に形成しており、通水部９は一部を除き網状に形成し、排水が自由に通過できる構成である。
【００１８】
ストレーナー７の通水部９は円錐形の頂点の位置が排水口６の中心から偏心させる位置に設定したある。
【００１９】
ストレーナー７の外縁部８より上方に突出する取っ手１０が一体の設置してあり、取っ手１０の設置位置は、中心に対して円錐形の頂点と対向する位置となっている。
【００２０】
取っ手１０を保持する軸部１１の断面形状は図２に示すようにストレーナー７の中心に向かって拡がる略Ｖ字形のであり、軸部１１は外縁部８と通水部９をまたがる位置に設置してあり、設置位置近傍の通水部９には網状でなく平滑面１２を形成している。
【００２１】
以上のように構成された排水装置ついて以下その動作、作用を説明する。
【００２２】
まず、排水と一緒に排水装置５に流入した異物は、ストレーナー７の取っ手１０の軸部１１に巻き付いたり、通水部９の平滑面１２に引っ掛かったりせず、円滑に網状の通水部９の頂点近傍まで流入し、頂点近傍に滞留する。
【００２３】
一方、排水は異物が滞留していない通水部９上部の網状の部分から流出するが、異物が滞留する通水部９の頂点は排水口６の中心より偏心した位置であるため、排水流路のほぼ中央部を閉塞することがないため、排水はスムーズに流れる。
【００２４】
また、ストレーナー７の中に滞留した異物を除去する場合、取っ手１０を持ってストレーナー７を排水口６から取り外して、ストレーナーを反転して異物を廃棄するが、取っ手や取っての近傍には異物が着いていないので、異物に直接手に触れることなく清潔にストレーなの清掃ができる。
【００２５】
以上のように、本実施の形態においては、ストレーナー７は外縁部８と下方に突出した円錐形状の通水部９と、取っ手１０から構成し、通水部９の円錐形の頂点の位置を排水口６の中心から偏心させ、取っ手１０を中心に対して対向する位置に設置することにより、排水とともに流入した異物は前記ストレーナー７の円錐の頂点近傍に滞留し、通水部９の上部の網目は異物による閉塞を防ぐことができ、しかも異物は取っ手１０の軸部１１に巻き付いたり、通水部９の上部に付着したりせずに、異物は円滑に通水部９頂点の近傍に集約して滞留する。
【００２６】
しかも、ストレーナー７の中の異物を除去する場合は、ストレーナー７を取り外して反転するだけで、異物に直接手を触れずに容易に清掃することができる。
【００２７】
なお、本実施の形態においては、ストレーナーの表面には何ら処理を行っていないが、ストレーナーの表面に、フッ素樹脂を被覆することにより、ストレーナに汚れや異物が付着しにくくなり、また付着したした汚れや異物を落としやすくなり、より使い勝手の良い排水装置とすることができる。
【産業上の利用可能性】
【００２８】
以上のように、本発明にかかる浴室の排水装置は、同装置のストレーナーに滞留した異物の除去、清掃を異物に直接手を触れずに容易に行うことが可能となるので、本発明は住宅や商業施設等における排水装置などの用途にも適用できる。
【図面の簡単な説明】
【００２９】
【図１】本発明の実施の形態1における浴室の排水装置の縦断面図
【図２】本発明の実施の形態1における浴室の排水装置の平面図
【図３】従来の浴室の排水装置の縦断面図
【図４】従来の浴室の排水装置の平面図
【符号の説明】
【００３０】
５  排水装置
６  排水口
７  ストレーナー
８  外縁部
９  通水部
１０  取っ手
１１  軸部
１２  平滑面
【図１】
2006002423.tif 000003
【図２】
2006002423.tif 000004
【図３】
2006002423.tif 000005
【図４】
2006002423.tif 000006